(57)【特許請求の範囲】
【請求項１】
水道メータの出入口を結ぶ軸線上で水道メータの全長より長い間隔を置いて止水栓の出
口及び逆止弁の入口の夫々を配置する様に止水栓と逆止弁とを基台上に固定し、止水栓の
出口側又は逆止弁の入口側のいずれか一方を装着部と成すと共に、該装着部に前記軸線上
を伸縮する管継手装置を設けて成り、該管継手装置は装着部に回転自在に外嵌した操作管
体と、装着部内に軸線方向に進退自在にして水密状に挿入した伸縮管体と、該伸縮管体の
先端部に一端部を固定すると共に、回転が規制された状態で操作管体に他端部を外嵌螺着
した進退管体とから成ることを特徴とする水道メータ取付けユニット。
【発明の詳細な説明】
【技術分野】
【０００１】
本発明は、集合住宅等の各戸の上水管に設置される水道メータを簡便に着脱する様にし
た水道メータ取付けユニットに関する。
【背景技術】
【０００２】
従来、上水管中において、水道メータはその一次側（入口）及び二次側（出口）の夫々
に止水栓及び逆止弁を連結しており、水道メータの交換に際しては、止水栓と逆止弁との
連結を解除した後、再び新規な水道メータを止水栓と逆止弁との間に介装連結していた。
しかしながら、一旦水道メータを止水栓と逆止弁との間から取り外すと、止水栓と逆止
弁における水道メータとの連結口の軸芯が相互にずれることが多々あり、一般に集合住宅
等では水道メータの設置場所が狭いことも相俟って、再度水道メータの出入口を止水栓と
逆止弁の各連結口に要領よく連結することは難しく、一集合住宅において各戸毎に取付け
られる水道メータの全てを交換又は新設するには、非常な手間、時間を要するといった不
具合を有していた。
この様な不具合を解消するために、例えば特許文献１に開示される水道メータ取付けユ
ニットが使用されている。
このユニットは、水道メータの入口及び出口の夫々に配置される止水栓及び逆止弁を基
台に固定し、止水栓の出口には着脱装置が取付られている。
図５に示す様に、着脱装置ａは、止水栓の出口ｂに連続して回転自在に取付けられた筒
状の回転部材ｃと、基端部が止水栓の出口ｂに水密状にして摺動自在に挿入されると共に
、中間部位が回転部材ｃに螺挿され、先端部側が基台ｄに固定されたスライドホルダガイ
ドｅに回転が規制された状態で摺動自在に挿入された管状のスライド部材ｆとから成り、
回転部材ｃの回転によりスライド部材ｆが軸線方向に進退する様に構成されている。
そして、止水栓の出口ｂに取付けられた着脱装置ａのスライド部材ｆと、逆止弁の出口
間に水道メータを配し、回転部材ｃでスライド部材ｆを前進させ、水道メータを逆止弁へ
押し付けて止水栓と逆止弁との間に水道メータを圧着介装することにより、止水栓と逆止
弁における水道メータとの連結口の軸芯がずれることなく、止水栓と逆止弁の間に簡単に
水道メータを着脱自在に連結できる。
【特許文献１】特開平９−２８０９１９号公報
【発明の開示】
【発明が解決しようとする課題】
【０００３】
しかしながら、上記着脱装置におけるスライド部材ｆは、止水栓の出口ｂに水密状に連
通して軸芯がずれない様に進退せねばならないため、その出口ｂに挿入されるスライド部
材ｆの基端部側はその進退ストロークより以上に長さを要し、又出口ｂに延長連続して取
付けられた回転部材に螺合するために中間部位外周に設けた雄螺子もほぼ同等の長さを必
要とするため、水道メータの入口ｇを圧着支持する先端部と合わせたスライド部材ｆの全
長は非常に長くなる。
従って、水道メータを上記ユニットに装着した状態、即ち止水栓の出口ｂに続く回転部
材ｃからスライド部材ｆが最も伸長した状態では、スライド部材ｆの先端部側が上記軸芯
よりずれること、並びに通水時における振動等によって水道メータとの正常な連結状態を
維持できなくなることを回避するため、スライドホルダガイドｅでスライド部材ｆの先端
部側を常に軸芯に沿う様に案内支持している。
この様に、スライド部材ｆが長くなることにより、上記ユニットの全長が長くなるため
、狭い設置場所における他の機器との調和を図りながらの据え付け作業は極めて困難であ
った。
【課題を解決するための手段】
【０００４】
本発明は、水道メータの出入口を結ぶ軸線上で水道メータの全長より長い間隔を置いて
止水栓の出口及び逆止弁の入口の夫々を配置する様に止水栓と逆止弁とを基台上に固定し
、止水栓の出口側又は逆止弁の入口側のいずれか一方を装着部と成すと共に、該装着部に
前記軸線上を伸縮する管継手装置を設けて成り、該管継手装置は装着部に回転自在に外嵌
した操作管体と、装着部内に軸線方向に進退自在にして水密状に挿入した伸縮管体と、該
伸縮管体の先端部に一端部を固定すると共に、回転が規制された状態で操作管体に他端部
を外嵌螺着した進退管体とから成る水道メータ取付けユニットを提供することにより、上
記課題を解決する。
【発明の効果】
【０００５】
要するに本発明は、上記構成から成り、管継手装置は装着部と成した止水栓の出口側又
は逆止弁の入口側のいずれか一方に操作管体を回転自在に外嵌し、水道メータの出入口の
一方を圧着連結する伸縮管体を前記装着部内に軸線方向に進退自在にして水密状に挿入し
ているだけで、操作管体の回転運動を伸縮管体に伝動させる操作管体との螺合部分が伸縮
管体に形成されておらず、その螺合部分は、回転が規制された状態で操作管体に進退管体
の基端部を外嵌螺着されて、伸縮管体の外側で重なって存在し、該伸縮管体の先端部に進
退管体の一端部が固定されているため、操作管体の回転運動を伸縮管体に直線運動に変換
して伝動させられるので、伸縮管体にあっては、水道メータを連結支持する先端部に連続
して装着部に進退自在に挿入される先端部の支持部が、先端部の進退ストローク分の長さ
と、最伸長時において装着部より突出した部分を支えるに十分な装着部内への挿入長さと
を有するだけで良く、しかも伸縮管体は、常に進退管体で常に案内支持されているので、
止水栓の出口と逆止弁の入口と常に同心にあり、その軸芯がずれることはない。
したがって、本発明によれば、伸縮管体自体に従来の様な螺子部を設けることなく、こ
の伸縮管体を備えた管継手装置を介して止水栓と逆止弁との間に水道メータを装着でき、
この装着状態、即ち止水栓の出口に続く装着部から伸縮管体が最も伸長した状態であって
も、伸縮管体の先端部側は上記軸芯よりずれたり、通水時における振動等によって水道メ
ータとの連結に支障を来すこともなく、装着部及び進退管体にて伸縮管体を常に安定した
状態で支持できるため、ユニットの全長を従来に比し短くコンパクト化でき、狭い設置場
所における他の機器との調和を図りながらの水道メータの据え付け作業を比較的容易に施
工できる等その実用的効果甚だ大である。
【発明を実施するための最良の形態】
【０００６】
以下本発明の実施の形態としての実施例を図面に基づいて説明する。
図１に水道メータＭを取付けたユニット１の断面図を示す。
このユニット１は、水道メータＭの出入口Ｍ１、Ｍ２を結ぶ軸線上で水道メータＭの全
長（出入口Ｍ１、Ｍ２間距離）より長い間隔を置いて止水栓２の出口３及び逆止弁４の入
口５の夫々を配置する様に止水栓２と逆止弁４とを、左右に長い基台６の左右端部に上方
突設した保持部７、7aに固定し、止水栓２の出口３又は逆止弁４の入口５のいずれか一方
を装着部（図示例では止水栓２の出口３側）８と成すと共に、該装着部８に前記軸線上を
伸縮する管継手装置９を設けている。
【０００７】
止水栓２は、その入口10と出口３の流路が略直角に形成したアングル形のボール止水栓
であり、入口10に連通する直線流路を設けると共に、直線流路内に球状の弁体11を形成し
た本体12と、出口３に連通するエルボ状の流路を設けた支持管部13とを相互に回転自在に
して水密状に連結している。
又、弁体11には、これを開閉弁操作する操作杆14が連繋され、該操作杆14は本体12外部
へ突出し、その突端にはハンドル14ａを取付けており、支持管部13に対し本体12を回転自
在と成していることで本体12外部に突出した操作杆14及びハンドル14ａの突出方向を自由
に設定できる様にしている。
そして、止水栓２の支持管部13において、本体12に対し直角な部分であって屈曲部近傍
部位を基台装着部13ａと成し、該基台装着部13ａを基台６左端に設けた保持部７に固定し
ている。
【０００８】
逆止弁４は、その入口５と出口15の流路が直通しているストレート形の弁箱16に二次側
から一次側への逆流を防止する弁体17を内装している。
弁箱16の入口５の周端面には、水道メータＭの出口Ｍ２周端面に接合されるパッキンＳ
を固着し、入口５の周端縁には、パッキンＳを囲繞する様に出口Ｍ２の外径に対応した周
壁18を突設し、該周壁18の下半円部分は他の部分より延出形成され、出口Ｍ２の下半円部
分の受承部18ａと成している。
そして、弁箱16を基台６右端に設けた保持部7aに固定している。
【０００９】
管継手装置９は装着部８に回転自在に外嵌した操作管体19と、装着部８内に軸線方向に
進退自在にして水密状に挿入した伸縮管体20と、該伸縮管体20の先端部に一端部を固定す
ると共に、回転が規制された状態で操作管体19に他端部を外嵌螺着した進退管体21とから
主に構成されている。
【００１０】
装着部８は、その外周において、基台装着部13ａに連続して大径面部22を設け、該大径
面部22に連続して出口３へ向かうに従い縮径して成るテーパー面部23を設け、該テーパー
面部23の最小径部に連続して小径面部24を設けている。
同様に、基体が装着部８と同一長さの略円筒状に形成された操作管体19の内周にも、そ
の基端部より装着部８外周形状に対応した大径面部22ａ、テーパー面部23ａ及び小径面部
24ａを設けている。
又、装着部８及び操作管体19の大径面部22、22ａ周囲には、装着部８に操作管体19を外
嵌した状態で合致する凹溝25、25ａを刻設している。
操作管体19の凹溝25ａは、断面形状が円形に形成された拡縮径自在なＣ形弾性リング26
を出没自在に配する様に、リング26の断面形状の直径と同一深さに設定し、装着部８の凹
溝25は、リング26に外力が作用していない状態で、操作管体19の凹溝25ａより突出するリ
ング26の内径側部位（リング26の半円状の半断面）を内接する深さに設定している。
そして、操作管体19を装着部８に外嵌すると、該操作管体19の凹溝25ａより突出するリ
ング26の内径側部位は、装着部８のテーパー面部23に沿って徐々に操作管体19の凹溝25ａ
内へ押圧され、テーパー面部23に続く大径面部22によってリング26は凹溝25ａ内に没入す
る様に一旦拡径し、凹溝25、25ａ同士が合致した時にリング26は外力が作用していない初
期状態に縮径して、リング26の内径側部位が凹溝25に内接する様に収容され、リング26に
より操作管体19は装着部８より抜止めされると共に、装着部８に対し回転自在と成る。
【００１１】
操作管体19において、大径面部22ａ及びテーパー面部23ａに対応した外周には、等間隔
置きに複数の羽根状片を放射突設して成るハンドル27を設け、又小径面部24ａに対応した
外周において先端部からハンドル27近傍に渡って雄螺子を螺刻している。
【００１２】
伸縮管体20は、外径が装着部８内径に対応した略円筒状に形成され、その基端部外周に
凹設したＯリング溝内にＯリングＰを装着し、先端部に開口した水道メータＭの入口Ｍ１
との連結口20ａにはフランジ28を突設し、該フランジ28の正面部には、入口Ｍ１周端面に
接合されるパッキンＳを固着し、フランジ28周端縁には、パッキンＳを囲繞する様に入口
Ｍ１の外径に対応した周壁29を正面方向へ突設し、該周壁29の下半円部分は他の部分より
延出形成され、入口Ｍ１の下半円部分の受承部29ａと成している。
そして、伸縮管体20は、その基端部側を装着部８に挿入することにより装着部８と同心
にして止水栓２と水密状に連通している。
【００１３】
進退管体21は、略円筒状に形成されると共に、その一端部は伸縮管体20の外径に対応す
る様に縮径形成されており、他端部には操作管体19の雄螺子に螺合する雌螺子を螺刻して
おり、進退管体21を挿通した状態でその一端部外端面を伸縮管体20のフランジ28の背面部
に当接固定している。
伸縮管体20に対する進退管体21の上記固定は、伸縮管体20においてフランジ28の背面部
より進退管体21の一端部の肉厚分の間隔を置いて外周に凹溝を設け、進退管体21の一端部
外端面をフランジ28に当接した状態で、凹溝に外縁が伸縮管体20外方へ突出する様にＣ形
同心止め輪30を装着することにより成し得る。
この様に伸縮管体20に固定された進退管体21を操作管体19に外嵌螺着した状態において
、基台６上面に対向する進退管体21下部には水平に切断された平坦面31を設けて成り、該
平坦面31は、基台６上面に突設した突堤32上を摺動する様に設置し、これにより操作管体
19の回転が進退管体20に伝達されても進退管体20は回転することなく軸線方向に進退する
様に成している。
【００１４】
上記の様に構成されたユニット１にあっては、止水栓２の装着部８、伸縮管体20及び逆
止弁４の弁箱16の各中心線は同軸線上に合致しており、ユニット１は基台６の下部左右端
に設けたフランジ33、33ａにアンカーボルト、ビス等を用いて設置場所に固定される。
管継手装置９は、ハンドル27にて操作管体19を一方向に回転させることで、これに外嵌
螺着した進退管体21は、その下部の平坦部31が突堤32上に接してその回転が常に規制され
ているため、軸線方向に前進又は後退し、進退管体21の一端部に先端部が固定された伸縮
管体20を同様に進退移動させられる。
又、伸縮管体20を後退させた状態では、図４に示す様に、伸縮管体20先端のフランジ28
のみが装着部８より突出し、かかる状態では、伸縮管体20先端の受承部29ａ及び逆止弁４
の受承部18ａに水道メータＭの入口Ｍ１及び出口Ｍ２の夫々の先端を載置できる様に設定
されている。
従って、基台６に固定された止水栓２及び逆止弁３間に水道メータＭを介装連結するに
は、先ず、伸縮管体20を後退した状態で、水道メータＭの入口Ｍ１及び出口Ｍ２の夫々を
上記受承部29ａ、18ａに載置し、ハンドル27にて伸縮管体20を前進させ、その先端のフラ
ンジ28で以て水道メータＭを逆止弁４側へ押圧し、伸縮管体20の連結口20ａと逆止弁４の
入口５は夫々の周端面に設けたパッキンＳを介して水道メータＭの入口Ｍ１及び出口Ｍ２
の周端面に圧着接合されることで、水密性が保持された状態で伸縮管体20の連結口20ａと
水道メータＭの入口Ｍ１、逆止弁４の入口５と水道メータＭの出口Ｍ２が連通し、止水栓
２と逆止弁４間に水道メータＭが圧着連結される（図１、３参照）。
又、上記と逆の手順により、水道メータＭをユニット１より取り外すことができる。
【図面の簡単な説明】
【００１５】
【図１】水道メータを取付けたユニットの断面図である。
【図２】図１のユニットのＡーＡ拡大断面図である。
【図３】図１における管継手装置の拡大断面図である。
【図４】管継手装置における伸縮管体の後退状態を示す拡大断面図である。
【図５】従来の水道メータ取付けユニットにおける着脱装置の拡大断面図である。
【符号の説明】
【００１６】
２    止水栓
３    出口
４    逆止弁
５    入口
６    基台
８    装着部
９    管継手装置
19    操作管体
20    伸縮管体
21    進退管体
Ｍ    水道メータ
Ｍ１  入口
Ｍ２  出口
【図１】
0003725534.tif 000002
【図２】
0003725534.tif 000003
【図３】
0003725534.tif 000004
【図４】
0003725534.tif 000005
【図５】
0003725534.tif 000006